【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
前記装置に向けられていない物理レイヤコンバージェンスプロトコル（ＰＬＣＰ）プロトコルデータユニット（ＰＰＤＵ）を受信するように構成された受信機と、
処理システムであって、
前記ＰＰＤＵのＰＬＣＰヘッダ中の少なくとも２つのビットに基づいて延期時間を決定することと、ここにおいて、前記少なくとも２つのビットは、前記ＰＰＤＵの予定受信側によって送られるべき応答のタイプを示し、前記処理システムは、
前記応答のタイプが、通常応答が送られるべきであるというものである場合は、第１の延期時間を決定し、
前記応答のタイプが、ロング応答が送られるべきであるというものである場合は、第２の延期時間を決定する
ことによって、前記延期時間を決定するように構成される、
前記決定された延期時間に基づいて、信号の送信を延期することと、
を行うように構成された処理システムと、
を備える装置。
【請求項２】
前記処理システムは、前記決定された延期時間に基づいて応答指示延期（ＲＩＤ）カウンタをセットするようにさらに構成される、請求項１に記載の装置。
【請求項３】
前記ＲＩＤカウンタは、ＰＨＹ−ＲＸＥＮＤ．ｉｎｄｉｃａｔｉｏｎプリミティブが前記受信されたＰＰＤＵについて発行されることが期待される瞬間に更新される、請求項２に記載の装置。
【請求項４】
前記延期時間を決定することが、
前記応答のタイプが、応答が送られるべきでないというものである場合は、第３の延期時間を決定することと、
前記応答のタイプが、ヌルデータパケット（ＮＤＰ）応答が送られるべきであるというものである場合は、第４の延期時間を決定することと、
をさらに備える、請求項１に記載の装置。
【請求項５】
前記第３の延期時間は０であり、
前記第２の延期時間は最大ＰＰＤＵ持続時間プラスショートフレーム間スペース（ＳＩＦＳ）である、請求項４に記載の装置。
【請求項６】
前記第１の延期時間は、通常送信時間プラスショートフレーム間スペース（ＳＩＦＳ）であり、前記通常送信時間は、プリアンブルタイプ、前記ＰＬＣＰヘッダ中のアグリゲーションビット、チャネル帯域幅、または変調およびコーディング方式（ＭＣＳ）のうちの少なくとも１つに基づいて算出される、請求項４に記載の装置。
【請求項７】
前記処理システムは、プリアンブルタイプに基づいて前記第４の延期時間を決定するように構成される、請求項４に記載の装置。
【請求項８】
前記処理システムは、ＮＤＰ送信時間プラスショートフレーム間スペース（ＳＩＦＳ）を備えるように前記第４の延期時間を決定するように構成され、ここにおいて、前記ＮＤＰ送信時間は、
前記プリアンブルタイプが１ＭＨｚプリアンブルである場合、１ＭＨｚ  ＮＤＰメディアアクセス制御（ＭＡＣ）フレーム、または
前記プリアンブルタイプが２ＭＨｚ以上のショート／ロングプリアンブルである場合、２ＭＨｚ以上のＮＤＰ  ＭＡＣフレーム、
を送信するための、マイクロ秒での時間に等しい、請求項７に記載の装置。
【請求項９】
前記処理システムは、プリアンブルタイプ、前記ＰＬＣＰヘッダ中のアグリゲーションビット、チャネル帯域幅、または変調およびコーディング方式（ＭＣＳ）のうちの少なくとも１つに基づいて、前記延期時間を決定するようにさらに構成される、請求項１に記載の装置。
【請求項１０】
前記ＰＰＤＵはヌルデータパケット（ＮＤＰ）メディアアクセス制御（ＭＡＣ）フレームを備え、前記処理システムは、前記ＮＤＰ  ＭＡＣフレームのタイプに基づいて、前記延期時間を決定するようにさらに構成される、請求項１に記載の装置。
【請求項１１】
装置によるワイヤレス通信のための方法であって、
前記装置に向けられていない物理レイヤコンバージェンスプロトコル（ＰＬＣＰ）プロトコルデータユニット（ＰＰＤＵ）を受信することと、
前記ＰＰＤＵのＰＬＣＰヘッダ中の少なくとも２つのビットに基づいて延期時間を決定することと、ここにおいて、前記少なくとも２つのビットは、前記ＰＰＤＵの予定受信側によって送られるべき応答のタイプを示し、前記延期時間を決定することは、
前記応答のタイプが、通常応答が送られるべきであるというものである場合は、第１の延期時間を決定し、
前記応答のタイプが、ロング応答が送られるべきであるというものである場合は、第２の延期時間を決定する
ことを備える、
前記決定された延期時間に基づいて、信号の送信を延期することと、
を備える方法。
【請求項１２】
前記決定された延期時間に基づいて応答指示延期（ＲＩＤ）カウンタをセットすることをさらに備える、請求項１１に記載の方法。
【請求項１３】
前記ＲＩＤカウンタは、ＰＨＹ−ＲＸＥＮＤ．ｉｎｄｉｃａｔｉｏｎプリミティブが前記受信されたＰＰＤＵについて発行されることが期待される瞬間に更新される、請求項１２に記載の方法。
【請求項１４】
前記延期時間を決定することは、
前記応答のタイプが、応答が送られるべきでないというものである場合は、第３の延期時間を決定することと、
前記応答のタイプが、ヌルデータパケット（ＮＤＰ）応答が送られるべきであるというものである場合は、第４の延期時間を決定することと、
をさらに備える、請求項１１に記載の方法。
【請求項１５】
前記第３の延期時間は０であり、
前記第２の延期時間は最大ＰＰＤＵ持続時間プラスショートフレーム間スペース（ＳＩＦＳ）である、請求項１４に記載の方法。
【請求項１６】
前記第１の延期時間は、通常送信時間プラスショートフレーム間スペース（ＳＩＦＳ）であり、前記通常送信時間は、プリアンブルタイプ、前記ＰＬＣＰヘッダ中のアグリゲーションビット、チャネル帯域幅、または変調およびコーディング方式（ＭＣＳ）のうちの少なくとも１つに基づいて算出される、請求項１４に記載の方法。
【請求項１７】
前記第４の延期時間を決定することは、プリアンブルタイプに基づく、請求項１４に記載の方法。
【請求項１８】
前記第４の延期時間は、ＮＤＰ送信時間プラスショートフレーム間スペース（ＳＩＦＳ）を備えるように決定され、ここにおいて、前記ＮＤＰ送信時間は、
前記プリアンブルタイプが１ＭＨｚプリアンブルである場合、１ＭＨｚ  ＮＤＰメディアアクセス制御（ＭＡＣ）フレーム、または
前記プリアンブルタイプが２ＭＨｚ以上のショート／ロングプリアンブルである場合、２ＭＨｚ以上のＮＤＰ  ＭＡＣフレーム、
を送信するための、マイクロ秒での時間に等しい、請求項１７に記載の方法。
【請求項１９】
前記延期時間を決定することは、プリアンブルタイプ、前記ＰＬＣＰヘッダ中のアグリゲーションビット、チャネル帯域幅、または変調およびコーディング方式（ＭＣＳ）のうちの少なくとも１つにさらに基づく、請求項１１に記載の方法。
【請求項２０】
前記ＰＰＤＵはヌルデータパケット（ＮＤＰ）メディアアクセス制御（ＭＡＣ）フレームを備え、前記延期時間を決定することは、前記ＮＤＰ  ＭＡＣフレームのタイプにさらに基づく、請求項１１に記載の方法。
【請求項２１】
ワイヤレス通信のための装置であって、
前記装置に向けられていない物理レイヤコンバージェンスプロトコル（ＰＬＣＰ）プロトコルデータユニット（ＰＰＤＵ）を受信するための手段と、
前記ＰＰＤＵのＰＬＣＰヘッダ中の少なくとも２つのビットに基づいて延期時間を決定するための手段と、ここにおいて、前記少なくとも２つのビットは、前記ＰＰＤＵの予定受信側によって送られるべき応答のタイプを示し、前記延期時間を決定することは、
前記応答のタイプが、通常応答が送られるべきであるというものである場合は、第１の延期時間を決定し、
前記応答のタイプが、ロング応答が送られるべきであるというものである場合は、第２の延期時間を決定する
ことを備える、
前記決定された延期時間に基づいて、信号の送信を延期するための手段と、
を備える装置。
【請求項２２】
前記決定された延期時間に基づいて応答指示延期（ＲＩＤ）カウンタをセットするための手段をさらに備える、請求項２１に記載の装置。
【請求項２３】
前記ＲＩＤカウンタは、ＰＨＹ−ＲＸＥＮＤ．ｉｎｄｉｃａｔｉｏｎプリミティブが前記受信されたＰＰＤＵについて発行されることが期待される瞬間に更新される、請求項２２に記載の装置。
【請求項２４】
前記延期時間を決定することは、
前記応答のタイプが、応答が送られるべきでないというものである場合は、第３の延期時間を決定することと、
前記応答のタイプが、ヌルデータパケット（ＮＤＰ）応答が送られるべきであるというものである場合は、第４の延期時間を決定することと、
をさらに備える、請求項２１に記載の装置。
【請求項２５】
前記第１の延期時間は０であり、
前記第２の延期時間は最大ＰＰＤＵ持続時間プラスショートフレーム間スペース（ＳＩＦＳ）である、請求項２４に記載の装置。
【請求項２６】
前記第１の延期時間は、通常送信時間プラスショートフレーム間スペース（ＳＩＦＳ）であり、前記通常送信時間は、プリアンブルタイプ、前記ＰＬＣＰヘッダ中のアグリゲーションビット、チャネル帯域幅、または変調およびコーディング方式（ＭＣＳ）のうちの少なくとも１つに基づいて算出される、請求項２４に記載の装置。
【請求項２７】
決定するための前記手段は、前記ＮＤＰ応答が送られるべきであることを前記少なくとも２つのビットが示す場合、プリアンブルタイプに基づいて前記第４の延期時間を決定するように構成される、請求項２４に記載の装置。
【請求項２８】
決定するための前記手段は、ＮＤＰ送信時間プラスショートフレーム間スペース（ＳＩＦＳ）を備えるように前記第４の延期時間を決定するように構成され、前記ＮＤＰ送信時間は、前記プリアンブルタイプが１ＭＨｚプリアンブルである場合は１ＭＨｚ  ＮＤＰメディアアクセス制御（ＭＡＣ）フレーム、または前記プリアンブルタイプが２ＭＨｚ以上のショート／ロングプリアンブルである場合は２ＭＨｚ以上のＮＤＰ  ＭＡＣフレームを送信するための、マイクロ秒での時間に等しい、請求項２７に記載の装置。
【請求項２９】
決定するための前記手段は、プリアンブルタイプ、前記ＰＬＣＰヘッダ中のアグリゲーションビット、チャネル帯域幅、または変調およびコーディング方式（ＭＣＳ）のうちの少なくとも１つに基づいて、前記延期時間を決定するようにさらに構成される、請求項２１に記載の装置。
【請求項３０】
前記ＰＰＤＵはヌルデータパケット（ＮＤＰ）メディアアクセス制御（ＭＡＣ）フレームを備え、決定するための前記手段は、前記ＮＤＰ  ＭＡＣフレームのタイプに基づいて、前記延期時間を決定するようにさらに構成される、請求項２１に記載の装置。
【請求項３１】
非一時的なコンピュータ可読媒体であって、
装置に向けられていない物理レイヤコンバージェンスプロトコル（ＰＬＣＰ）プロトコルデータユニット（ＰＰＤＵ）を受信することと、
前記ＰＰＤＵのＰＬＣＰヘッダ中の少なくとも２つのビットに基づいて延期時間を決定することと、ここにおいて、前記少なくとも２つのビットは、前記ＰＰＤＵの予定受信側によって送られるべき応答のタイプを示し、前記延期時間を決定することは、
前記応答のタイプが、通常応答が送られるべきであるというものである場合は、第１の延期時間を決定し、
前記応答のタイプが、ロング応答が送られるべきであるというものである場合は、第２の延期時間を決定する
ことを備える、
前記決定された延期時間に基づいて、信号の送信を延期することと、
を行うように実行可能な命令を有する、非一時的なコンピュータ可読媒体。
【請求項３２】
ワイヤレス局であって、
少なくとも１つのアンテナと、
前記少なくとも１つのアンテナを介して、前記ワイヤレス局に向けられていない物理レイヤコンバージェンスプロトコル（ＰＬＣＰ）プロトコルデータユニット（ＰＰＤＵ）を受信するように構成された受信機と、
処理システムであって、
前記ＰＰＤＵのＰＬＣＰヘッダ中の少なくとも２つのビットに基づいて延期時間を決定することと、ここにおいて、前記少なくとも２つのビットは、前記ＰＰＤＵの予定受信側によって送られるべき応答のタイプを示し、前記処理システムは、
前記応答のタイプが、通常応答が送られるべきであるというものである場合は、第１の延期時間を決定し、
前記応答のタイプが、ロング応答が送られるべきであるというものである場合は、第２の延期時間を決定する
ことによって、前記延期時間を決定するように構成される、
前記決定された延期時間に基づいて、信号の送信を延期することと、
を行うように構成された処理システムと、
を備えるワイヤレス局。